【手続補正書】
【提出日】平成18年7月31日(2006.7.31)
【手続補正１】
【補正対象書類名】明細書
【補正対象項目名】発明の名称
【補正方法】変更
【補正の内容】
【発明の名称】加熱装置及び画像形成装置
【手続補正２】
【補正対象書類名】明細書
【補正対象項目名】特許請求の範囲
【補正方法】変更
【補正の内容】
【特許請求の範囲】
【請求項１】  磁気誘導加熱方式により被加熱材を加熱する加熱装置であって、
磁界を発生する磁場発生手段と、
該磁場発生手段から発生した磁界の作用で電磁誘導発熱する電磁誘導発熱部材と、
前記磁場発生手段に流れる電流を検出する電流検出手段と、
前記電流検出手段の検出結果に基づき前記磁場発生手段への供給電力を制御する制御手段とを有し、
前記制御手段は、前記電流検出手段で検出した電流のピーク値をホールドするピークホールド手段を有し、前記ホールドされたピーク値に基づき前記磁場発生手段への電力供給を制御することを特徴とする加熱装置。
【請求項２】  前記ピークホールド手段は、前記電流検出手段で検出した電流に応じた電圧に充電されるコンデンサと、コンデンサに充電された電荷を放電する放電抵抗とを有することを特徴とする請求項１に記載の加熱装置。
【請求項３】  更に、前記磁場発生手段に高周波電力を供給する電力供給手段を有することを特徴とする請求項１又は２に記載の加熱装置。
【請求項４】  更に、前記電磁誘導発熱部材と被加熱材との接触部近傍の温度を検出する温度検出手段を有し、前記制御手段は、前記温度検出手段の検出温度が規定温度となるように前記磁場発生手段への電力供給を制御することを特徴とする請求項１乃至３の何れかに記載の加熱装置。
【請求項５】 前記制御手段は、前記電流検出手段の検出結果に基づき前記磁場発生手段に流れる最大電流が制限されるように、前記磁場発生手段への電力供給を制御することを特徴とする請求項１乃至４の何れかに記載の加熱装置。
【請求項６】  更に、前記電流検出手段の出力に基づいて前記磁場発生手段への供給電力を禁止する手段を有することを特徴とする請求項１乃至５の何れかに記載の加熱装置。
【請求項７】  更に、外部入力に基づき前記電磁誘導発熱部材による加熱動作を緊急停止するための緊急停止手段を有することを特徴とする請求項１乃至６の何れかに記載の加熱装置。
【請求項８】  請求項１乃至７の何れかに記載の加熱装置を使用して、未定着画像を被加熱材に永久固着画像として加熱定着させることを特徴とする画像形成装置。
【手続補正３】
【補正対象書類名】明細書
【補正対象項目名】０００１
【補正方法】変更
【補正の内容】
【０００１】
【発明の属する技術分野】
本発明は、加熱装置及び画像形成装置に係り、更に詳しくは、ベルト加熱方式の加熱装置を像加熱装置として備えた電子写真装置・静電記録装置などに適用する場合に好適な加熱装置及び画像形成装置に関する。
【手続補正４】
【補正対象書類名】明細書
【補正対象項目名】００２０
【補正方法】変更
【補正の内容】
【００２０】
本発明は、上述した点に鑑みなされたものであり、磁気誘導加熱定着方式で金属製の定着フィルムの発熱を行う際に最大電力を一定に保ち、温度上昇に伴う出力低減を無くし、より高速且つ安定なオンディマンド定着を実現可能とすると共に、安全を確保し加熱定着動作の緊急停止も可能とした加熱装置及び画像形成装置を提供することを目的とする。
【手続補正５】
【補正対象書類名】明細書
【補正対象項目名】００２１
【補正方法】変更
【補正の内容】
【００２１】
【課題を解決するための手段】
上記目的を達成するために、本発明は、磁気誘導加熱方式により被加熱材を加熱する加熱装置であって、磁界を発生する磁場発生手段と、該磁場発生手段から発生した磁界の作用で電磁誘導発熱する電磁誘導発熱部材と、前記磁場発生手段に流れる電流を検出する電流検出手段と、前記電流検出手段の検出結果に基づき前記磁場発生手段への供給電力を制御する制御手段とを有し、前記制御手段は、前記電流検出手段で検出した電流のピーク値をホールドするピークホールド手段を有し、前記ホールドされたピーク値に基づき前記磁場発生手段への電力供給を制御することを特徴とする。
【手続補正６】
【補正対象書類名】明細書
【補正対象項目名】００２２
【補正方法】変更
【補正の内容】
【００２２】
上記目的を達成するために、請求項２記載の本発明は、前記ピークホールド手段は、前記電流検出手段で検出した電流に応じた電圧に充電されるコンデンサと、コンデンサに充電された電荷を放電する放電抵抗とを有することを特徴とする。
【手続補正７】
【補正対象書類名】明細書
【補正対象項目名】００２３
【補正方法】変更
【補正の内容】
【００２３】
上記目的を達成するために、請求項３記載の本発明は、更に、前記磁場発生手段に高周波電力を供給する電力供給手段を有することを特徴とする。
【手続補正８】
【補正対象書類名】明細書
【補正対象項目名】００２４
【補正方法】変更
【補正の内容】
【００２４】
上記目的を達成するために、請求項４記載の本発明は、更に、前記電磁誘導発熱部材と被加熱材との接触部近傍の温度を検出する温度検出手段を有し、前記制御手段は、前記温度検出手段の検出温度が規定温度となるように前記磁場発生手段への電力供給を制御することを特徴とする。
【手続補正９】
【補正対象書類名】明細書
【補正対象項目名】００２５
【補正方法】変更
【補正の内容】
【００２５】
上記目的を達成するために、請求項５記載の本発明は、前記制御手段は、前記電流検出手段の検出結果に基づき前記磁場発生手段に流れる最大電流が制限されるように、前記磁場発生手段への電力供給を制御することを特徴とする。
【手続補正１０】
【補正対象書類名】明細書
【補正対象項目名】００２６
【補正方法】変更
【補正の内容】
【００２６】
上記目的を達成するために、請求項６記載の本発明は、更に、前記電流検出手段の出力に基づいて前記磁場発生手段への供給電力を禁止する手段を有することを特徴とする。
【手続補正１１】
【補正対象書類名】明細書
【補正対象項目名】００２７
【補正方法】変更
【補正の内容】
【００２７】
上記目的を達成するために、請求項７記載の本発明は、更に、外部入力に基づき前記電磁誘導発熱部材による加熱動作を緊急停止するための緊急停止手段を有することを特徴とする。
【手続補正１２】
【補正対象書類名】明細書
【補正対象項目名】００２８
【補正方法】変更
【補正の内容】
【００２８】
上記目的を達成するために、請求項８記載の本発明は、請求項１乃至７の何れかに記載の加熱装置を使用して、未定着画像を被加熱材に永久固着画像として加熱定着させることを特徴とする。
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】削除
【補正の内容】
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】削除
【補正の内容】
【手続補正２３】
【補正対象書類名】明細書
【補正対象項目名】００３９
【補正方法】削除
【補正の内容】
【手続補正２４】
【補正対象書類名】明細書
【補正対象項目名】００４０
【補正方法】削除
【補正の内容】
【手続補正２５】
【補正対象書類名】明細書
【補正対象項目名】００４１
【補正方法】削除
【補正の内容】
【手続補正２６】
【補正対象書類名】明細書
【補正対象項目名】００４２
【補正方法】削除
【補正の内容】
【手続補正２７】
【補正対象書類名】明細書
【補正対象項目名】００４３
【補正方法】削除
【補正の内容】
【手続補正２８】
【補正対象書類名】明細書
【補正対象項目名】００４４
【補正方法】削除
【補正の内容】
【手続補正２９】
【補正対象書類名】明細書
【補正対象項目名】０１１９
【補正方法】変更
【補正の内容】
【０１１９】
【発明の効果】
以上説明したように、本発明によれば、最大電力制御を電流検出手段の信号を用いて行うため、磁気誘導加熱定着方式で電磁誘導発熱部材により被加熱材の加熱を行う際に最大電力を一定値に保ち、温度上昇に伴う出力低減を無くし、より高速且つ安定なオンディマンド定着を実現することが可能となる効果がある。
【手続補正３０】
【補正対象書類名】明細書
【補正対象項目名】０１２０
【補正方法】変更
【補正の内容】
【０１２０】
また、本発明によれば、電磁誘導発熱部材と被加熱材との接触部近傍の検出温度が規定温度となるように磁場発生手段への電力供給を制御するため、熱暴走からの定着装置の安全を確保できるという効果がある。
【手続補正３１】
【補正対象書類名】明細書
【補正対象項目名】０１２１
【補正方法】変更
【補正の内容】
【０１２１】
また、本発明によれば、外部入力に基づき電磁誘導発熱部材による加熱動作を緊急停止するため、非常時における定着動作の緊急停止も可能となる効果がある。